(57)【要約】      （修正有）【課題】微小な生体関連物質であっても効率良く拭き取って採取できる生体関連物質採取器具を提供する。【解決手段】一端が閉塞され、内部に所定量の希釈液Ｌが充填される圧縮変形可能な容器本体３と、容器本体３の開口部５に着脱可能に装着され、取り付け部１１と排出口１３を備えたキャップ１５と、キャップ１５の取り付け部１１に基端部１７が取り付けられる軸部９と、軸部９に設けられた拭き取り体２１と、を具備する。さらに、前記拭き取り体２１は、軸部長手方向に長い拭き取り作用部２５と、採取シート２９と、採取シート２９及び軸部９の間に配置される押さえ部材３１と、を具備している。【選択図】図２
2016050911.tif 000002
【特許請求の範囲】
【請求項１】
一端が閉塞され、内部に希釈液を充填することができる容器本体と、前記容器本体の開口部に対して着脱可能に装着されるキャップであって、生体関連物質を含んだ希釈液を外部に取り出すことができる排出口を備えたキャップと、前記キャップに取り付けられる軸部と、生体関連物質を採取するために前記軸部に取り付けられる拭き取り体と、を具備する生体関連物質採取器具において、
前記拭き取り体は、検査部位に接触するために軸部長手方向に沿って延びる拭き取り作用部と、該拭き取り作用部を前記軸部に係止する係止部と、を備えることを特徴とする生体関連物質採取器具。
【請求項２】
請求項１に記載の生体関連物質採取器具において、
前記拭き取り体及び前記軸部の間に配置される押さえ部材を備えることを特徴とする生体関連物質採取器具。
【請求項３】
請求項１または２に記載の生体関連物質採取器具において、
前記容器本体内の希釈液を前記キャップの前記排出口に導くために、前記軸部の基端部に一つまたは複数のスリットが形成されることを特徴とする生体関連物質採取器具。
【請求項４】
請求項１〜３のいずれか１項に記載の生体関連物質採取器具において、
前記軸部の基端部は、前記キャップに設けられた取り付け部と嵌合することを特徴とする生体関連物質採取器具。
【請求項５】
請求項１〜４のいずれか１項に記載の生体関連物質採取器具において、
前記軸部の基端部と、前記キャップに設けられた取り付け部との間には、両者を嵌合した際に排出流路が形成され、当該排出流路によって、前記容器本体内の希釈液が前記排出口に導かれることを特徴とする生体関連物質採取器具。
【請求項６】
請求項５に記載の生体関連物質採取器具において、
前記軸部の基端部の外周形状と、前記基端部が嵌め込まれる前記取り付け部の内周形状とが異なることを特徴とする生体関連物質採取器具。
【請求項７】
請求項６に記載の生体関連物質採取器具において、
前記外周形状または前記内周形状の断面の一方が多角形であり、前記外周形状または前記内周形状の断面の他方が円形または楕円形であることを特徴とする生体関連物質採取器具。
【請求項８】
請求項１〜７のいずれか１項に記載の生体関連物質採取器具において、
前記軸部の基端部と前記取り付け部との間には、前記排出口への異物の進入を防止するフィルターが配置されていることを特徴とする生体関連物質採取器具。
【請求項９】
請求項２に記載の生体関連物質採取器具において、
前記押さえ部材の側面形状は、先端側の辺の高さが基端側の辺の高さよりも低い台形状に形成されていることを特徴とする生体関連物質採取器具。
【請求項１０】
請求項２または３に記載の生体関連物質採取器具において、
前記軸部及び前記押さえ部材は、一体成形されることを特徴とする生体関連物質採取器具。
【請求項１１】
請求項２、９、１０のいずれか１項に記載の生体関連物質採取器具において、
前記拭き取り体の前記係止部には、前記押さえ部材と係合する係合スリットが形成されていることを特徴とする生体関連物質採取器具。
【請求項１２】
請求項１１に記載の生体関連物質採取器具において、
前記係合スリットと係合する前記押さえ部材には、前記係合スリットの外方にはみ出す、はみ出し部が形成されていることを特徴とする生体関連物質採取器具。
【請求項１３】
請求項１〜１２のいずれか１項に記載の生体関連物質採取器具において、
前記拭き取り作用部は、幅が５〜１０ｍｍ、長さが３０〜７０ｍｍの拭き取り作用面を有していることを特徴とする生体関連物質採取器具。
【請求項１４】
請求項１〜１３のいずれか１項に記載の生体関連物質採取器具において、
前記拭き取り部材を構成する繊維径は、１〜１０μｍであることを特徴とする生体関連物質採取器具。
【請求項１５】
請求項１〜１４のいずれか１項に記載の生体関連物質採取器具において、
前記拭き取り部材は、少なくともポリエステル及びナイロンを含む繊維によって構成されていることを特徴とする生体関連物質採取器具。
【発明の詳細な説明】
【技術分野】
【０００１】
本発明は、医療機関や食品、医薬品等の製造工場などで生体関連物質を検査する場合に使用される生体関連物質採取器具に係り、特にノロウイルス等の微小な生体関連物質の採取に適した生体関連物質採取器具に関するものである。
【背景技術】
【０００２】
微生物やウイルス等の生体関連物質を採取する場合には、綿棒や下記特許文献１に開示されているように綿球によって構成される拭き取り用含浸体を、リン酸緩衝液等の希釈液の入った容器本体内に収容した構造の環境微生物検査用拭き取り器具が使用されていた。  
また、綿棒やこのような専用の拭き取り器具によって採取された生体関連物質は、上記希釈液と同一の溶液または当該希釈液に再度含浸され、機械的にあるいは殺菌力を持たない程度の超音波によって振動され、その浸出液を検査液として取り出す。更に、取り出した検査液を培養した後、検体となる生体関連物質の集落を計測し、拭き取った面積に存する生体関連物質の個数等を算出して生体関連物質の検査を行っている。
【０００３】
そして、特許文献１では、内部に希釈液が収容されている筒状の容器本体を有し、該容器本体の一端を着脱可能な蓋体によって閉塞し、他端を同じく着脱可能な底蓋体によって閉塞すると共に、上記蓋体には容器本体内部に向って延びるスティック部が一体に形成され、該スティック部の先端には、綿球によって構成される拭き取り用含浸体が設けられている。また、上記底蓋体には、フィルターが配置された検液取り出し口が設けられており、更に、ヒンジを介して帽体が開閉可能な状態で取り付けられていて、該帽体の内部に突出状態で設けられている栓によって上記検液取り出し口を閉塞し得る構造の環境微生物検査用拭き取り器具が開示されている。
【先行技術文献】
【特許文献】
【０００４】
【特許文献１】特開２０１１−６９７７８号公報
【発明の概要】
【発明が解決しようとする課題】
【０００５】
しかし、綿棒や上記特許文献１に開示されている環境微生物検査用拭き取り器具では、検査部位の生体関連物質に直接触れて採取する拭き取り体として綿を玉状にまるめた直径が７ｍｍ程度の綿球が使用されていたため拭き取り面積が小さく、一度の拭き取り操作で拭き取れる生体関連物質の拭き取り量も少なくなっていた。  
また、綿の繊維径は約３０μｍと大きく、これに伴って繊維間の空隙も大きくなるためウイルス等、微小な生体関連物質の採取には困難であった。また、拭き取り体として綿球を使用していた上記従来の拭き取り器具では、希釈液として約１０ｍｌとやや多めのリン酸緩衝生理食塩水を必要としていたため、見た目にも量が多い印象を与え、該希釈液中に含浸する、採取した生体関連物質の濃度が低くなって生体関連物質の検査精度を低下させていた。
【０００６】
更に、図４（ｂ）及び図１０に示すように従来の拭き取り器具１０１では、綿球によって構成される拭き取り体１０３の支持部材である軸部１０５の取り付け部１０７に生体関連物質が含浸した希釈液Ｌを外部に取り出すための隙間１０９が放射状に配置されていたため、構造が複雑であり、該取り付け部１０７の成形に使用する金型の製作コストの増大を招いていた。
【０００７】
そこで、本発明は、生体関連物質の検査精度を向上させることができる生体関連物質採取器具を提供することを目的とする。また、本発明は、生体関連物質の拭き取り面積を大きくし、一度の拭き取り操作で拭き取ることができる生体関連物質の拭き取り量を多くして効率良く生体関連物質を拭き取れる生体関連物質採取器具を提供することを目的とする。さらに本発明は、拭き取り作用部表面の繊維間の空隙を小さくして微小な生体関連物質を拭き取れる生体関連物質採取器具を提供することを目的とする。
【課題を解決するための手段】
【０００８】
本発明の第１の態様の生体関連物質採取器具は、一端が閉塞され、内部に所定量の希釈液を充填することができる容器本体と、前記容器本体の開口部に対して着脱可能に装着され、拭き取り部材の軸部を保持する取り付け部と、該取り付け部の内部空間を通って、生体関連物質を含んだ希釈液を外部に取り出すことができる排出口を備えたキャップと、前記キャップの取り付け部に対して基端部が取り付けられる軸部と、該軸部の先端部に生体関連物質を採取する拭き取り体が設けられた拭き取り部材と、を具備する生体関連物質採取器具であって、前記拭き取り体は、検査部位に直接接触する軸部長手方向に延びる拭き取り作用部と、該拭き取り作用部の前後端から軸部に向かって延び、その先端部において軸部に係止される係止部と、を備える採取シートと、該採取シートと軸部との間に配置される所定形状の押さえ部材と、を具備している。
該構成によれば、綿球を拭き取り体として使用していた従来の拭き取り器具よりも、生体関連物質の拭き取り面積が大きくなるから、一度の拭き取り操作で拭き取ることができる生体関連物質の拭き取り量が多くなって、効率良く生体関連物質を拭き取れるようになる。また、押さえ部材を設けることで採取シートを均一に強い押し付け力で検査部位に押し付けることが可能になる。
【０００９】
また、本発明の第２の態様のように、前記軸部の基端部に対して、容器本体内の生体関連物質を含んだ希釈液を前記キャップに設けられた取り付け部の内部空間に導く排出流路と、該排出流路と容器本体の内部空間とを連通する軸部長手方向に延びる一または複数のスリットと、が備えられており、前記排出流路とスリットとが形成されている軸部の基端部における端部寄りの一部を利用して、前記キャップに設けられた取り付け部と嵌合する差し込み部を形成することが可能である。  
該構成によれば、キャップの取り付け部側に排出流路を形成するための複雑な構造を設ける必要がなくなり、キャップの成形に使用する金型の製作が容易になって、金型の製作コストの削減を図ることができる。そして、容器本体内の生体関連物質を含んだ希釈液は、差し込み部の先端側に露出しているスリットを通って、軸部内部の排出流路に至り、更に当該軸部と係合しているキャップの取り付け部の内部空間を通って排出口から外部に取り出される。
【００１０】
また、本発明の第３の態様のように、前記軸部の基端部と、前記キャップに設けられた取り付け部との間に、両者を嵌合した際に両者の間に隙間ができる形状ないし構造を施し、当該隙間を利用して容器本体内の生体関連物質を含んだ希釈液を前記取り付け部に導く排出流路を形成することが可能である。
具体的には、本発明の第４の態様のように、前記軸部の基端部の外周形状と、該基端部が嵌め込まれる前記取り付け部の内周形状とを異なるように形成することが可能である。さらに、本発明の第５の態様のように、前記外周形状または前記内周形状の一方の断面を角形または多角形にし、前記外周形状または前記内周形状の他方の断面を円形または楕円形にすることが可能である。
そして、これらの構成によれば、成形が困難なキャップ側の取り付け部の形状や構造を変更することなく、成形が比較的容易な軸部基端部の形状等を変更するだけで生体関連物質を含んだ希釈液の円滑な取り出しが可能になってキャップを成形する際に使用する金型の製作コストを削減することが可能になる。
【００１１】
また、本発明の第６の態様のように、前記軸部の基端部に対して、前記取り付け部の内部空間への異物の進入を防止するフィルターを配置することが可能である。該構成によれば、検査の邪魔になるゴミや塵等の固形物は、上記フィルターによって捕捉されるようになる。従って、取り付け部には、検査対象となる生体関連物質のみが含まれた希釈液が流入し、取り出されるようになる。
【００１２】
また、本発明の第７の態様のように、前記押さえ部材の側面形状を、先端側の辺の高さが基端側の辺の高さよりも低い前下がり傾斜の台形状に形成することが可能である。該構成によれば、採取シートの採取面を検査部位の表面に密着させる拭き取り時の姿勢において、キャップと検査部位の表面との間に隙間ができるため、生体関連物質の拭き取り操作が容易になる。
【００１３】
また、本発明の第８の態様のように、前記軸部と押さえ部材を、単一の材料から成形される一体成形品によって構成することが可能である。該構成によれば、軸部と押さえ部材の成形を同一の工程で実施でき、軸部と押さえ部材の組み立てが不要な分、組立てコストの削減を図ることができる。
【００１４】
また、本発明の第９の態様のように、前記採取シートの前部と後部の係止部の少なくとも一方に、前記押さえ部材の一部と係合する係合スリットを形成し、該係合スリットと係合する押さえ部材の一部に、係合スリットの外方にはみ出す、はみ出し部を形成することが可能である。
該構成によれば、押さえ部材は、腹部と採取シートに挟まれて保持されるだけでなく、採取シートの係止部に対して形成される係合スリットと、押さえ部材のはみ出し部と、の係合作用によっても保持されるようになる。従って、生体関連物質の拭き取り時に、検査部位の表面を押圧する押し付け力を押さえ部材にかけても、押さえ部材は採取シートから外れることなく採取シートによって保持された状態が維持される。
【００１５】
また、本発明の第１０の態様のように、前記拭き取り作用部に幅が５〜１０ｍｍ好ましくは７ｍｍ、長さが３０〜７０ｍｍ、好ましくは５０ｍｍの拭き取り作用面を設けることが可能である。
該構成によれば、拭き取り面積が３５０ｍｍ２になり、直径７ｍｍ、長さ９ｍｍの楕円球によって構成される綿球を拭き取り体として使用していた従来の構成と比較すると、従来の拭き取り体の拭き取り面積が大きく見積もって４９ｍｍ２程度であるから、両者の面積比は７：１となり、該構成によれば、生体関連物質の大幅な拭き取り量の増加が期待できる。
【００１６】
また、本発明の第１１の態様のように、前記採取シート表面の繊維径を、１〜１０μｍ、好ましくは５μｍにすることが可能である。該構成によれば、隣り合う繊維間の空隙が繊維径が約３０μｍの綿繊維に比べて格段に小さくなるから、ウイルス等の微小な生体関連物質の採取が容易になる。
また、本発明の第１２の態様のように、前記採取シートの表面素材をポリエステル８０％とナイロン２０％の合成繊維によって形成することが可能である。該構成によれば極細繊維による生体関連物質に対する優れた拭き取り性能が発揮される。
【００１７】
また、本発明の第１２の態様のように、前記容器本体内に充填される希釈液を、リン酸緩衝生理食塩水と界面活性剤との混合液とし、該希釈液の充填量を１０ｍｌ以下、好ましくは５ｍｌ以下にすることが可能である。  
該構成によれば、綿球を使用していた従来の拭き取り器具において約１０ｍｌの希釈液を必要としていたのに対して、希釈液が１０ｍｌ以下、好ましくは５ｍｌ以下になり、見た目でも量が少ない印象を与えることができる。また、該希釈液中に含浸する、採取した生体関連物質の濃度を高くして生体関連物質の検査精度を向上させることが可能になる。
【発明の効果】
【００１８】
本発明の生体関連物質採取器具によれば、生体関連物質の拭き取り面積が大きくなり、一度の拭き取り操作で拭き取ることができる生体関連物質の拭き取り量が多くなるから、効率良く生体関連物質を拭き取ることができるようになる。  
また、拭き取り作用部表面の繊維径が微細になるから、該繊維間の空隙も小さくなって微小な生体関連物質であっても拭き取れるようになる。また、希釈液の使用量を少なくできるから生体関連物質の濃度を高くして生体関連物質の検査精度を向上させることが可能になる。  
更に、成形が困難なキャップの構造を簡単にすることで、生体関連物質採取器具全体の製品コストを低く抑えることが可能になる。
【図面の簡単な説明】
【００１９】
【図１】本発明の第１の実施の形態に係る生体関連物質採取器具を示す分解斜視図である。
【図２】本発明の第１の実施の形態に係る生体関連物質採取器具を示す側断面図である。
【図３】本発明の第１の実施の形態に係る生体関連物質採取器具の拭き取り部材を示す側面図（ａ）と、ｂ―ｂ断面図（ｂ）である。
【図４】本発明の第１の実施の形態に係る生体関連物質採取器具の拭き取り部材を示す底面図（ａ）と、従来の綿球を示す底面図（ｂ）である。
【図５】本発明の第１の実施の形態に係る生体関連物質採取器具の拭き取り作用部表面の繊維と繊維間の空隙を模式的に示す断面図（ａ）と、従来の綿球の繊維と繊維間の空隙を模式的に示す断面図（ｂ）である。
【図６】本発明の第２の実施の形態に係る生体関連物質採取器具を示す側断面図である。
【図７】本発明の第２の実施の形態に係る生体関連物質採取器具を示す図６中のＡ−Ａ断面図（ａ）と、図６中のＢ−Ｂ断面図（ｂ）である。
【図８】本発明の他の実施の形態に係る生体関連物質採取器具の軸部と取り付け部の二種の嵌合状態を示す断面図である。
【図９】本発明の更に他の実施の形態に係る生体関連物質採取器具の軸部とキャップの取り付け部周辺を示す側断面図である。
【図１０】従来の拭き取り器具の軸部と取り付け部の接続状態を示す側断面図（ａ）と、ｂ―ｂ断面図（ｂ）である。
【発明を実施するための形態】
【００２０】
本発明の生体関連物質採取器具を以下に示す第１の実施の形態と第２の実施の形態の二つの実施の形態を例にとって、図面を参照しつつ説明する。
尚、以下の説明では、最初に図１及び図２に基づいて本発明の第１の実施の形態に係る生体関連物質採取器具を例にとって、本発明の生体関連物質採取器具の全体構成の概略について説明し、次いで、図３〜図５に基づいて該生体関連物質採取器具の特徴的構成である拭き取り部材の構造を、拭き取り部材とキャップの接続構造と併せて説明し、続いて、本発明の生体関連物質採取器具の操作手順と併せて拭き取り部材の作動態様について具体的に説明する。
【００２１】
更に、図６及び図７に基づいて本発明の第２の実施の形態に係る生体関連物質採取器具の構成と作動態様を、前記第１の実施の形態との差異を中心に説明する。
最後に、図８及び図９に基づいて本発明の他の実施の形態に係る生体関連物質採取器具の構成を、前記第１及び第２の二種の実施の形態との差異を中心に説明する。
【００２２】
［第１の実施の形態］
（１）生体関連物質採取器具の全体構成の概略（図１及び図２参照）
本発明の生体関連物質採取器具１は、一端が閉塞され、内部に所定量の希釈液Ｌが充填される容器本体３と、該容器本体３の開口部５に対して着脱可能に装着され、拭き取り部材７の軸部９を保持する取り付け部１１と、該取り付け部１１の内部空間を通って生体関連物質Ｇを含んだ希釈液Ｌを外部に取り出す排出口１３を備えたキャップ１５と、該キャップ１５の取り付け部１１に対して軸部９の基端部１７が取り付けられる軸部９と、該軸部９の先端部１９に生体関連物質Ｇを直接採取する拭き取り体２１が設けられた拭き取り部材７と、を備えることによって基本的に構成されている。
【００２３】
そして、前記拭き取り体２１が、採取シート２９と、該採取シート２９と軸部９との間に配置される所定形状の押さえ部材３１と、を具備する。採取シート２９が、検査部位Ｗに直接接触し、軸部９の長手方向に延びる拭き取り作用部２５と、該拭き取り作用部２５の前後端から軸部９に向かって延び、両端で軸部９に係止される係止部２７Ｆ、２７Ｒと、を備える。
また、本実施の形態に係る生体関連物質採取器具１Ａでは、容器本体３は、底部４が閉塞された円筒状の部材によって構成されており、容器本体３の開口部５が形成されている端部の外周には、キャップ１５と接続するための雄ネジ部６が形成されている。また、容器本体３の材質としては、高密度ポリエチレンなどの軟質の合成樹脂が一例として適用可能である。
【００２４】
また、上記雄ネジ部６と底部４の中間の容器本体３の胴部２は、軸方向Ｘと交差する方向Ｙの圧縮変形を容易にするために、上記雄ネジ部６と底部４に比べて肉薄に形成されていることが望ましい。また、容器本体３内の希釈液Ｌの量が確認できるよう、容器本体３は透明または半透明にする。  
また、上記容器本体３に充填する希釈液Ｌとしては、リン酸緩衝生理食塩水と界面活性剤の混合液が一例として適用でき、本実施の形態では、一例として５ｍｌの希釈液Ｌを容器本体３に充填して使用した。
【００２５】
キャップ１５は、一端が閉塞された一例として円筒状の部材で、閉塞された一端には、上述した排出口１３が形成されている。また、排出口１３が形成されているキャップ１５の一端には、ヒンジ３３を介して蓋体３５が開閉可能な状態で取り付けられている。  
上記蓋体３５は、上記キャップ１５とほぼ同径の一端が閉塞された短寸の円筒状の部材によって構成されており、該蓋体３５の閉塞された一端の内面には、上記排出口１３に嵌る栓３７が内方に向かって突出状態で設けられている。
【００２６】
また、キャップ１５の側胴部の内周には、上述した容器本体３の雄ネジ部６と噛み合う雌ネジ３９が形成されている。キャップ１５の閉塞された一端の内面には、軸部９を保持する取り付け部１１が内方に向かって突出状態で設けられている。
また、本実施の形態では一例として内径４ｍｍ、高さ１０ｍｍの単純な円筒形状の取り付け部１１を設置した。尚、キャップ１５と、ヒンジ３３及び蓋体３５は、一例として上述した容器本体３と同材料の一体成形品によって構成されており、上記ヒンジ３３については、柔軟な曲げ変形を可能にするために、他の部位よりも肉薄に形成されていることが望ましい。
【００２７】
（２）拭き取り部材の構造（図３〜図５参照）
拭き取り部材７は、上述したように軸部９と、軸部９に設けられる拭き取り体２１とを備える。拭き取り体２１は、拭き取り作用部２５と、採取シート２９と、押さえ部材３１と、を具備する。採取シート２９は、その前後端から延びる二つの係止部２７Ｆ、２７Ｒを備える。
そして、本実施の形態では、軸部９として一例として円形断面のパイプ材を使用しており、該軸部９の基端部１７には、容器本体３内の生体関連物質Ｇを含んだ希釈液Ｌを前記キャップ１５に設けられた取り付け部１１に導く排出流路４１と、該排出流路４１と容器本体３とを連通する軸部９の長手方向に延びる一例として４本のスリット４３と、が備えられている。
【００２８】
また、上記排出流路４１とスリット４３とが形成されている軸部９の基端部１７における端部寄りの一部を利用して、前記キャップ１５に設けられた取り付け部１１と嵌合する差し込み部（嵌合部）４５が形成されている。
尚、本実施の形態では軸部９をパイプ材によって構成しているため、軸部９の中心に長手方向に貫通する貫通穴が形成されている。従って、本実施の形態ではこの貫通穴を利用して上記排出流路４１を形成しているが、軸部９は任意の形状の中実体によって形成することも可能であり、この場合には軸部９の基端部１７に別途、排出流路４１を形成することができる。
【００２９】
拭き取り体２１の採取シート２９は、補強用の裏面素材（裏面シート）に表面素材となる繊維をホットメルト等で接着したものである。表面素材を構成する繊維は、少なくとも表面の繊維径Ｄ１が１〜１０μｍ、好ましくは５μｍになるように形成されており、本実施の形態では、当該繊維径Ｄ１の範囲を実現するため、採取シート２９の表面素材を一例としてポリエステルとナイロンからなる合成繊維によって形成している。採取シート２９の表面素材は、好ましくはポリエステル８０％とナイロン２０％から構成することができる。採取シート２９の裏面素材は、好ましくはポリエステルフィルムから構成することができる。採取シート２９を裏面素材と表面素材とから構成することにより、採取シート２９の表面素材と裏面素材とが一体化される。この一体化により、採取シート２９の成形が容易となると共に、拭き取り時に表面素材の繊維が分離しにくくなる。
これに伴い、本実施の形態では図５（ａ）に示すように隣り合う繊維Ｆ１、Ｆ１間の空隙Ｃ１が小さくなり、図５（ｂ）に示すように繊維径Ｄ２が約３０μｍの従来の綿繊維の繊維Ｆ２、Ｆ２間の空隙Ｃ２に比べて格段に小さくなっている。
【００３０】
また、採取シート２９の拭き取り作用部２５は、本実施の形態では、図４（ａ）に示すように幅Ｂ１が５〜１０ｍｍ、好ましくは７ｍｍ、長さＬ１が３０〜７０ｍｍ、好ましくは５０ｍｍの矩形状で実質的に平坦な拭き取り作用面を有している。従って、幅Ｂ１が７ｍｍ、長さＬ１が５０ｍｍの拭き取り作用面を有する拭き取り作用部２５であれば、その拭き取り面積Ａ１は３５０ｍｍ２となる。  
これに対し、綿球を拭き取り体１０３として使用していた従来の拭き取り器具１０１では、直径Ｂ２が７ｍｍ、長さＬ２が９ｍｍの楕円球によって構成される図４（ｂ）に示すような拭き取り体１０３であれば、その拭き取り面積Ａ２は、大きく見積もって４９ｍｍ２程度であるから、両者の面積比は７：１となり、本実施の形態の方が従来の拭き取り体１０３よりも生体関連物質Ｇの大幅な拭き取り量の増加が期待できる。
【００３１】
ここで、本明細書において使用する「生体関連物質」とは、検査部位Ｗの試料中に含まれる分離、回収または検出の対象となる物質であり、微生物、ウイルス、細菌、核酸、多糖、タンパク質、低分子などの拭き取り可能なあらゆる生体物質を意味するものである。
また、軸部９と採取シート２９との間に介在される押さえ部材３１は、本実施の形態では、その側面形状が先端側の辺の高さＨ１が基端側の辺の高さＨ２よりも低い、前下がり傾斜の台形状に形成されている。
これに伴い、採取シート２９の採取面となる拭き取り作用部２５の拭き取り作用面を検査部位Ｗの表面に密着させる拭き取り時の姿勢において、キャップ１５と検査部位Ｗの表面との間に隙間Ｓができ、生体関連物質Ｇの拭き取り操作が容易になる。なお、押さえ部材３１は、好ましくは希釈液Ｌを吸収しないような樹脂等から形成される。
【００３２】
（３）拭き取り部材の作動態様（図３〜図５参照）
次に、このように構成される本実施の形態に係る生体関連物質採取器具１Ａの操作手順と併せて、拭き取り部材７の作動態様について（Ａ）拭き取り時と、（Ｂ）取り出し時に分けて説明する。
（Ａ）拭き取り時
検査部位Ｗに存する生体関連物質Ｇを拭き取って採取する場合には、容器本体３の雄ネジ部６と噛み合っている雌ネジ部３９を緩めて容器本体３から拭き取り部材７を取り出す。
【００３３】
次に、キャップ１５及び／または軸部９を指でつまんで持ち、採取シート２９の拭き取り作用部２５底面の拭き取り作用面を検査部位Ｗの表面に密着させるように押し付ける。この時、好ましくは、人差し指を軸部９の上面に押し当てることによって強い押し付け力Ｐを得ることができる。
また、上述した押さえ部材３１の存在により、キャップ１５と検査部位Ｗの表面との間には上述したように隙間Ｓが形成されるため、円滑に拭き取り部材７を移動させることができる。そして、大きな拭き取り面積Ａ１と小さな繊維径Ｄ１を有する拭き取り体２１を幅方向に移動させることによって当該検査部位Ｗの表面の生体関連物質Ｇを効率良く、拭き取って採取することが可能になる。
【００３４】
（Ｂ）取り出し時
上記生体関連物質Ｇを拭き取って採取した拭き取り部材７は、再び容器本体３内に収容され、容器本体３の雄ネジ部６にキャップ１５の雌ネジ部３９を噛み合わせて容器本体３の開口部５をキャップ１５で閉塞させた状態にする。
次に、この状態で生体関連物質採取器具１Ａを機械的に振動させたり、殺菌力を持たない程度の弱い超音波で振動させ、採取した生体関連物質Ｇを希釈液Ｌ中に浸出させる。そしてこの希釈液Ｌを検査液として培養した後、以下の手順で容器本体３外に取り出す。
【００３５】
この場合には、蓋体３５に指をかけ、ヒンジ３３を中心に蓋体３５を拡開方向に回動させて開ける。この状態では、排出口１３に嵌っていた栓３７が排出口１３から外れるため、当該排出口１３は開放状態になる。  
そして、該排出口１３が下になるように容器本体３を傾けると、生体関連物質Ｇを含んだ希釈液Ｌは、軸部９の基端部１７に形成されているスリット４３を通って、その中心の排出流路４１に至り、キャップ１５の取り付け部１１の内部空間を通ってキャップ１５の排出口１３から外部に取り出される。
【００３６】
尚、外部に取り出された生体関連物質Ｇを含んだ希釈液Ｌは、培養された後、出現した生体関連物質Ｇの集落を計測し、拭き取り面積当たりの個数等を算出して検査に利用される。  
そして、このようにして構成される本実施の形態に係る生体関連物質採取器具１Ａによれば、生体関連物質Ｇの拭き取り面積Ａ１を大きくし、一度の拭き取り操作で拭き取ることができる生体関連物質Ｇの拭き取り量を多くして効率良く生体関連物質Ｇを拭き取ることが可能になる。
【００３７】
また、拭き取り作用部２５の表面の繊維Ｆ１、Ｆ１間の空隙Ｃ１を小さくできるから、ウイルス等の微小な生体関連物質Ｇであっても拭き取ることが可能になる。また、希釈液Ｌの使用量を少なくすることが可能になり、少ない使用量の希釈液Ｌを使用することで、生体関連物質Ｇの濃度を高めて検査精度を向上させることが可能になる。  
また、キャップ１５の取り付け部１１の構造を簡単にすることで、キャップ１５の成形が容易になるから、生体関連物質採取器具１Ａの製品コストを削減することが可能になる。更に、前記所定形状の押さえ部材３１と大きな拭き取り面積の拭き取り体２１の採用により、拭き取り部材７の操作性が向上し、一層効率的な生体関連物質Ｇの拭き取りが可能になる。
【００３８】
［第２の実施の形態］
（１）生体関連物質採取器具の構成と作動態様（図６及び図７参照）
第２の実施の形態に係る生体関連物質採取器具１Ｂは、前述した第１の実施の形態に係る生体関連物質採取器具１Ａと基本的に同様の構成を有しており、（Ａ）軸部と押さえ部材の接続構造と、（Ｂ）押さえ部材と係止部の係止構造と、（Ｃ）軸部と取り付け部の接続構造と、が前記第１の実施の形態と相違している。  
従って、ここでは前記第１の実施の形態と同様の構成とその作動態様については説明を省略し、前記第１の実施の形態と相違する第２の実施の形態特有の上記（Ａ）〜（Ｃ）の３点の構成とその作動態様を中心に説明する。
【００３９】
（Ａ）軸部と押さえ部材の接続構造
即ち、本実施の形態では、軸部９と押さえ部材３１が単一の材料から成形される一体成形品で構成されている。従って、軸部９と押さえ部材３１を例えば単一の板状部材から切り出して製作することができ、軸部９と押さえ部座３１の成形コストの低減が図られる。
【００４０】
（Ｂ）押さえ部材と係止部の係止構造
即ち、本実施の形態では、採取シート２９の前部の係止部２７Ｆと後部の係止部２７Ｒの両方に、押さえ部材３１の前端部のコーナー部４９Ｆと後端部のコーナー部４９Ｒと係合する一例として角穴状の係合スリット４７Ｆ、４７Ｒが形成されている。そして、上記二つの係合スリット４７Ｆ、４７Ｒと係合する上記二つのコーナー部は、これらの係合スリット４７Ｆ、４７Ｒの外方にはみ出すように構成されており、当該はみ出した部分が前方のはみ出し部４９Ｆと後方のはみ出し部４９Ｒになっている。  
因みに、このような押さえ部材３１と係止部２７Ｆ、２７Ｒとの係止構造を採用することにより、前記第１の実施の形態の場合よりも押さえ部材３１の保持力が強くなる。従って、生体関連物質Ｇの拭き取り時に、検査部位Ｗの表面を押圧する押し付け力Ｐを押さえ部材３１にかけても、当該押さえ部材３１は採取シート２９から外れることなく採取シート２９によって保持された状態が維持されるようになる。
【００４１】
（Ｃ）軸部と取り付け部との接続構造
即ち、本実施の形態では、軸部９の基端部１７とキャップ１５に設けられた取り付け部１１との間に、両者を嵌合した際に両者の間に隙間ができる形状ないし構造が施されており、当該隙間を利用して容器本体３内の生体関連物質Ｇを含んだ希釈液Ｌを取り付け部１１に導く排出流路４１が形成されている。
具体的には、軸部９の基端部１７の外周形状を角形とし、該基端部１７が嵌め込まれる取り付け部１１の内周形状を円形とすることによって、両者の間に例えば円弧と直線とによって構成される４つの隙間を形成して、これらの隙間を排出流路４１として利用することが可能である。
【００４２】
因みに、このような構成の軸部９と取り付け部１１との接続構造を採用した場合には、成形が困難なキャップ１５側の取り付け部１１の形状や構造を変更することなく、成形が比較的容易な軸部９の基端部１７の形状等を変更するだけで生体関連物質Ｇを含んだ希釈液Ｌの円滑な取り出しが可能になる。  
そして、このようにして構成される本実施の形態に係る生体関連物質採取器具１Ｂによっても、前述した第１の実施の形態に係る生体関連物質採取器具１Ａと同様の作用、効果が発揮され、より構造が簡単で押さえ部材３１の脱落のおそれの少ない生体関連物質採取器具１Ｂを提供することが可能になる。
【００４３】
以上が本発明の基本的な実施の形態であるが、本発明の生体関連物質採取器具１は、上述した実施の形態に限定されるものではなく、本発明の要旨を逸脱しない範囲内の部分的構成の変更や省略等を行うことが可能である。  
例えば、前記第２の実施の形態において採用した軸部９と取り付け部１１との間に隙間を形成するための形状ないし構造としては、図７（ｂ）に示すように軸部９の基端部１７の外周形状を角形とし、取り付け部１１の内周形状を円形とする態様に限らず、他の種々の態様を採用することが可能である。
【００４４】
具体的には、図８（ａ）に示すように軸部９の基端部１７の外周形状を取り付け部１１の内周形状と同じ円形とするが、その周面に軸方向Ｘに延びる、一つまたは複数の溝部５１を形成することで、排出流路４１として利用できる隙間を形成することが可能である。
また、図８（ｂ）に示すように軸部９の基端部１７の外径を取り付け部１１の内径よりも小さくし、これによってできた円筒状の隙間に対して、一例として網体によって構成されるスペーサー５３を嵌めるようにすることも可能である。そして、この場合にはスペーサー５３の網目の間にできた空間が排出流路４１となる。
【００４５】
また、図９に示すように軸部９の基端部１７に対して、当該基端部１７と取り付け部１１とを被覆し得る筒状のフィルター５５を設置することも可能である。そして、該フィルター５５の材料としては、取り付け部１１の内部へのゴミや塵等の異物の進入を防止するが生体関連物質Ｇを含んだ希釈液Ｌの進入を許容する不織布等が適用可能である。  
この他、前記実施の形態で述べた容器本体３とキャップ１５の外周形状を円筒状にする構成は一例であり、これらを矩形断面あるいはその他の多角形断面の角筒状にする等、他の形状に形成することも可能である。また、拭き取り作用部２５のサイズや形状も前記実施の形態で述べたものに限定されず、使用する容器本体３のサイズや形状等の違いに応じて適宜、変更することが可能である。
【００４６】
また、採取シート２９の表面素材や繊維径Ｄ１も前記実施の形態で述べたものに限定されず、ウイルス等の微小な生体関連物質Ｇを捕捉することのできる種々の素材と繊維径Ｄ１のものを採用することが可能である。更に、前記第１の実施の形態で述べたスリット４３の数は４本に限らず、１本〜３本であってもよいし、５本以上設けることも可能である。また、前記第２の実施の形態において設けた係合スリット４７は、採取シート２９の前部と後部の係止部２７Ｆ、２７Ｒの両方に設ける他、これらのいずれか一方のみに設けることが可能である。
【符号の説明】
【００４７】
１  生体関連物質採取器具
２  胴部
３  容器本体
４  底部
５  開口部
６  雄ネジ部
７  拭き取り部材
９  軸部
１１  取り付け部
１３  排出口
１５  キャップ
１７  基端部
１９  先端部
２１  拭き取り体
２５  拭き取り作用部
２７  係止部
２９  採取シート
３１  押さえ部材
３３  ヒンジ
３５  蓋体
３７  栓
３９  雌ネジ部
４１  排出流路
４３  スリット
４５  差し込み部
４７  係合スリット
４９  はみ出し部
５１  溝部
５３  スペーサー
５５  フィルター
Ｌ  希釈液
Ｇ  生体関連物質
Ｘ  軸方向
Ｙ  交差する方向
Ｗ  検査部位
Ｄ  繊維径
Ｆ  繊維
Ｃ  空隙
Ｂ  幅（直径）
Ｌ  長さ
Ａ  拭き取り面積
Ｈ  高さ
Ｓ  隙間
Ｐ  押し付け力
【図１】
2016050911.tif 000003
【図２】
2016050911.tif 000004
【図３】
2016050911.tif 000005
【図４】
2016050911.tif 000006
【図５】
2016050911.tif 000007
【図６】
2016050911.tif 000008
【図７】
2016050911.tif 000009
【図８】
2016050911.tif 000010
【図９】
2016050911.tif 000011
【図１０】
2016050911.tif 000012